(57)【要約】【課題】記憶部に記憶された画像データの中から、利用者が表示部に表示させたい画像を容易に探すことが可能な探知装置を提供する。【解決手段】表示部４０の表示領域４１の全体に、連続する複数の画像を右側から左側に送るように表示させる第１の表示モードと、表示部４０の表示領域４１を３段に分割して、分割された表示領域４１ａ、４１ｂ、および４１ｃに順に、連続する複数の画像を右側から左側に送るように表示させる第２の表示モードとを切り替えることが可能なように構成され、第２の表示モードにおいてカーソル４６で選択された画像が、第１の表示モードにおいて拡大されて表示領域４１の全体に表示される。【選択図】図７
2010139481.tif 000002
【特許請求の範囲】
【請求項１】
探知対象物で反射した信号を受信する受信器と、
前記受信器により受信した信号に基づく画像データを記憶する第１の記憶部と、
前記第１の記憶部に記憶された前記画像データを読み出すことにより、表示部に連続する複数の画像を一方側から他方側に送るように表示させるための制御部と、を備えた探知装置において、
前記制御部は、
前記表示部の表示領域の全体に、連続する複数の画像を一方側から他方側に送るように表示させる第１の表示モードと、
前記表示部の表示領域を複数段に分割して、分割された各表示領域に順に、連続する複数の画像を一方側から他方側に送るように表示させる第２の表示モードと、を切り替えることが可能なように構成されていることを特徴とする探知装置。
【請求項２】
請求項１に記載の探知装置において、
前記制御部は、前記第２の表示モードにおいて前記表示部の表示領域の所定位置にカーソルを表示させ、第２の表示モードから第１の表示モードへ切り替えられたときに、前記カーソルで選択された部分の画像を拡大して前記表示領域に表示させることを特徴とする探知装置。
【請求項３】
請求項１または請求項２に記載の探知装置において、
前記第１の表示モードにおいて前記第１の記憶部に記憶された前記画像データが読み出された場合に、読み出された前記画像データがそのままの状態で一時的に記憶され、前記第２の表示モードにおいて前記第１の記憶部に記憶された前記画像データが読み出された場合に、読み出された前記画像データが圧縮された状態で一時的に記憶される第２の記憶部をさらに備えることを特徴とする探知装置。
【請求項４】
請求項１ないし請求項３のいずれかに記載の探知装置において、
前記制御部は、前記第２の表示モードにおいて、分割された表示領域のうちの所定の表示領域に表示された連続する複数の画像が、前記所定の表示領域と隣接する表示領域に表示されるように、前記表示部に表示される画像をスキップさせることが可能なように構成されていることを特徴とする探知装置。
【請求項５】
請求項１ないし請求項４のいずれかに記載の探知装置において、
前記第１の記憶部は、前記受信器により受信した信号に基づく画像データを記憶する際に、前記画像データと関連付けられた所定の情報も記憶することが可能なように構成され、
前記制御部は、前記第１の記憶部に記憶された前記所定の情報に基づいて、前記表示部に表示される画像をスキップさせることが可能なように構成されていることを特徴とする探知装置。
【請求項６】
探知対象物で反射した信号を受信する受信器と、
前記受信器により受信した信号に基づく画像データを記憶する第１の記憶部と、
前記第１の記憶部に記憶された前記画像データを読み出すことにより、表示部に連続する複数の画像を一方側から他方側に送るように表示させるための制御部と、を備えた探知装置の表示制御方法において、
前記制御部により、前記表示部の表示領域を複数段に分割して、分割された各表示領域に順に、連続する複数の画像を一方側から他方側に送るように表示させた後、
切替部が操作された場合に、前記制御部により、前記表示部の表示領域の全体に、連続する複数の画像を一方側から他方側に送るように表示させることを特徴とする探知装置の表示制御方法。
【請求項７】
探知対象物で反射した信号を受信する受信器と、
前記受信器により受信した信号に基づく画像データを記憶する第１の記憶部と、
前記第１の記憶部に記憶された前記画像データを読み出すことにより、表示部に連続する複数の画像を表示させるための制御部と、を備えた探知装置において、
前記制御部は、前記表示部の表示領域を複数段に分割して、分割された各表示領域に順に、連続する複数の画像を一方側から他方側に送るように表示させることを特徴とする探知装置。
【発明の詳細な説明】
【技術分野】
【０００１】
本発明は、探知対象物で反射した信号を受信する受信器を備えた魚群探知機等の探知装置およびその表示制御方法に関する。
【背景技術】
【０００２】
従来、超音波信号を送受信する送受信器と、送受信器により受信された反響波情報を記憶する測定情報用メモリと、画像表示器とを備えた魚群探知機が知られている（たとえば、特許文献１参照）。
【０００３】
上記特許文献１に開示された魚群探知機では、画像表示器の表示画面は、表示領域が３つに分割されており、航跡表示領域と通常反響波表示領域と縮小反響波表示領域とを有する。
【０００４】
縮小反響波表示領域は、表示画面の下部に全幅にわたるように配置されている。そして、縮小反響波表示領域には、送受信器により受信された反響波情報に基づいて、連続する複数の画像が右側から左側へ送られるように表示される。すなわち、縮小反響波表示領域には、右側から左側へ時間順に、反響波情報に基づく画像が表示されている。ここで、縮小反響波表示領域には、約３０分間の反響波情報に基づく画像が表示されている。
【０００５】
通常反響波表示領域は、表示画面の右上部に配置されており、縮小反響波表示領域に表示された画像の一部を拡大して表示している。なお、通常反響波表示領域には、約６０秒間の反響波情報に基づく画像が表示されている。航跡表示領域は、表示画面の左上部に配置されており、自船位置の周辺の地図を二次元的に表示している。
【０００６】
そして、この魚群探知機では、利用者がキー操作部を操作することにより、測定情報用メモリに記憶された反響波情報の中から、利用者が表示させたい反響波情報に基づく画像を、縮小反響波表示領域および通常反響波表示領域に表示させることが可能である。
【０００７】
【特許文献１】特開２００８−１３４０６８号公報
【発明の開示】
【発明が解決しようとする課題】
【０００８】
しかしながら、一般的に測定情報用メモリに記憶された反響波情報の量が多いので、上記特許文献１に開示された魚群探知機では、測定情報用メモリに記憶された反響波情報の中から、利用者が表示画面に表示させたい反響波情報に基づく画像を探すことが困難であるという問題点がある。
【０００９】
本発明は、上述した課題を解決するものであって、その目的とするところは、記憶部に記憶された画像データの中から、利用者が表示部に表示させたい画像を容易に探すことが可能な探知装置およびその表示制御方法を提供することである。
【課題を解決するための手段】
【００１０】
本発明の探知装置は、探知対象物で反射した信号を受信する受信器と、受信器により受信した信号に基づく画像データを記憶する第１の記憶部と、第１の記憶部に記憶された画像データを読み出すことにより、表示部に連続する複数の画像を一方側から他方側に送るように表示させるための制御部と、を備えた探知装置において、制御部は、表示部の表示領域の全体に、連続する複数の画像を一方側から他方側に送るように表示させる第１の表示モードと、表示部の表示領域を複数段に分割して、分割された各表示領域に順に、連続する複数の画像を一方側から他方側に送るように表示させる第２の表示モードと、を切り替えることが可能なように構成されている。
【００１１】
このように構成することによって、第１の記憶部に記憶された画像データの量が多い場合にも、第２の表示モードで画像を表示することにより、１画面内に画像データに基づく画像を多く表示させることができるので、第１の記憶部に記憶された画像データの中から、利用者が表示部に表示させたい画像を容易に探すことができる。
【００１２】
上記探知装置において、好ましくは、制御部は、第２の表示モードにおいて表示部の表示領域の所定位置にカーソルを表示させ、第２の表示モードから第１の表示モードへ切り替えられたときに、カーソルで選択された部分の画像を拡大して表示領域に表示させる。
【００１３】
このように構成することによって、第２の表示モードにおいて、表示させたい画像が表示領域に送られてきた場合、その画像がカーソルで選択されることにより、第１の表示モードにおいて、その画像が拡大されて表示領域に表示されるので、表示させたい画像がカーソルで選択された状態で表示モードを第２の表示モードから第１の表示モードに切り替えることによって、所望する画像を容易かつ確実に表示することができる。
【００１４】
上記探知装置において、好ましくは、第１の表示モードにおいて第１の記憶部に記憶された画像データが読み出された場合に、読み出された画像データがそのままの状態で一時的に記憶され、第２の表示モードにおいて第１の記憶部に記憶された画像データが読み出された場合に、読み出された画像データが圧縮された状態で一時的に記憶される第２の記憶部をさらに備える。
【００１５】
このように構成することによって、第２の表示モードにおいて第２の記憶部に記憶される情報量が、第１の表示モードにおいて第２の記憶部に記憶される情報量に比べて多くなるのを抑制することができる。
【００１６】
上記探知装置において、好ましくは、制御部は、第２の表示モードにおいて、分割された表示領域のうちの所定の表示領域に表示された連続する複数の画像が、所定の表示領域と隣接する表示領域に表示されるように、表示部に表示される画像をスキップさせることが可能なように構成されている。
【００１７】
このように構成することによって、画像をスキップさせることにより、第１の記憶部に記憶された画像データの中から、利用者が表示部に表示させたい画像をより容易に探すことができる。
【００１８】
上記探知装置において、好ましくは、第１の記憶部は、受信器により受信した信号に基づく画像データを記憶する際に、画像データと関連付けられた所定の情報も記憶することが可能なように構成され、制御部は、第１の記憶部に記憶された所定の情報に基づいて、表示部に表示される画像をスキップさせることが可能なように構成されている。
【００１９】
このように構成することによって、画像をスキップさせることにより、第１の記憶部に記憶された画像データの中から、利用者が表示部に表示させたい画像をより容易に探すことができる。
【００２０】
また、本発明の探知装置の表示制御方法は、探知対象物で反射した信号を受信する受信器と、受信器により受信した信号に基づく画像データを記憶する第１の記憶部と、第１の記憶部に記憶された画像データを読み出すことにより、表示部に連続する複数の画像を一方側から他方側に送るように表示させるための制御部と、を備えた探知装置の表示制御方法において、制御部により、表示部の表示領域を複数段に分割して、分割された各表示領域に順に、連続する複数の画像を一方側から他方側に送るように表示させた後、切替部が操作された場合に、制御部により、表示部の表示領域の全体に、連続する複数の画像を一方側から他方側に送るように表示させる。
【００２１】
このように構成することによって、第１の記憶部に記憶された画像データの量が多い場合にも、分割された各表示領域に画像を表示することにより、１画面内に画像データに基づく画像を多く表示させることができるので、第１の記憶部に記憶された画像データの中から、利用者が表示部に表示させたい画像を容易に探すことができる。そして、利用者が表示部に表示させたい画像を発見した場合には、切替部を用いて、表示部の表示領域の全体に画像を表示させることができる。
【００２２】
また、本発明の探知装置は、探知対象物で反射した信号を受信する受信器と、受信器により受信した信号に基づく画像データを記憶する第１の記憶部と、第１の記憶部に記憶された画像データを読み出すことにより、表示部に連続する複数の画像を表示させるための制御部と、を備えた探知装置において、制御部は、表示部の表示領域を複数段に分割して、分割された各表示領域に順に、連続する複数の画像を一方側から他方側に送るように表示させる。
【００２３】
このように構成することによって、第１の記憶部に記憶された画像データの量が多い場合にも、画像を複数段に分割して表示することにより、１画面内に画像データに基づく画像を多く表示させることができるので、第１の記憶部に記憶された画像データの中から、利用者が表示部に表示させたい画像を容易に探すことができる。
【発明の効果】
【００２４】
本発明によれば、記憶部に記憶された画像データの中から、利用者が表示部に表示させたい画像を容易に探すことが可能な探知装置およびその表示制御方法を提供することができる。
【発明を実施するための最良の形態】
【００２５】
以下、本発明の実施形態について、図面を参照しながら説明する。なお、以下の実施形態では、探知装置の一例である魚群探知機に本発明を適用した場合について説明する。
【００２６】
図１は、本発明の一実施形態による魚群探知機の全体構成を示したブロック図である。まず、図１を参照して、本実施形態による魚群探知機１００の構成について説明する。
【００２７】
本発明の一実施形態による魚群探知機１００は、図１に示すように、振動子１０と、送受信部２０と、制御部３０と、表示部４０と、ハードディスク５０と、操作部６０とを備えている。この魚群探知機１００は、海面を航行する船舶（図示省略）に設けられている。なお、振動子１０は、本発明の「受信器」の一例であり、ハードディスク５０は、本発明の「第１の記憶部」の一例である。
【００２８】
振動子１０は、船舶の船底に設けられており、海底に向けて超音波信号を送信する。また、振動子１０は、海底や魚群などの探知対象物で反射した超音波信号を受信する機能を有する。
【００２９】
送受信部２０は、送信部および受信部を含んでいる。送信部は、所定周波数の送信信号を生成するとともに、その生成された送信信号を振動子１０に供給するように構成されている。すなわち、送信部は、送信信号により振動子１０を駆動することによって、超音波信号を送信するために設けられている。受信部は、振動子１０により受信した超音波信号（以下、「受信信号」という）に対して所定の処理を施して制御部３０に出力するために設けられている。具体的には、受信信号が中間周波数に変換されるとともに、中間周波数に変換された受信信号がＡ／Ｄ変換される。
【００３０】
制御部３０は、送受信部２０から入力された受信信号に処理を施すことにより、受信信号に基づく画像データを生成する機能を有する。また、制御部３０は、ＣＰＵ３１と、ＲＯＭ３２と、ＲＡＭ３３と、ビデオＲＡＭ３４と、ディスプレイドライバ３５と、インターフェース（以下、「ＩＦ」という）３６〜３９とを含んでおり、これらはバス３０ａを介して接続されている。なお、ビデオＲＡＭ３４は、本発明の「第２の記憶部」の一例である。
【００３１】
ＣＰＵ３１は、魚群探知機１００の動作を制御するために設けられている。ＲＯＭ３２は、魚群探知機１００の動作を制御するためのプログラムなどが記憶されている。ＲＡＭ３３は、プログラムが実行される際にデータを一時的に記憶するために設けられている。ビデオＲＡＭ３４は、表示部４０に出力される画像データを一時的に記憶するために設けられている。ディスプレイドライバ３５は、表示部４０の規格に応じて、ビデオＲＡＭ３４に記憶された画像データを変換して表示部４０に出力するために設けられている。ＩＦ３６〜３９は、それぞれ、送受信部２０、表示部４０、ハードディスク５０、および操作部６０とデータのやり取りを行うために設けられている。
【００３２】
表示部４０は、液晶パネルなどを含み、制御部３０から出力された画像データに基づいて画像を表示するように構成されている。ハードディスク５０は、制御部３０から出力された画像データを記憶するために設けられている。操作部６０は、利用者が魚群探知機１００を操作するために設けられている。この操作部６０は、記録開始ボタン６１、マーカーボタン６２、再生ボタン６３、送りボタン６４、切替ボタン６５、および探知開始ボタン６６を有する。なお、切替ボタン６５は、本発明の「切替部」の一例である。
【００３３】
ここで、本実施形態では、魚群探知機１００は、表示部４０の表示領域４１の全体に、連続する複数の画像を右側（一方側）から左側（他方側）に送るように表示させる第１の表示モード（図３参照）と、表示部４０の表示領域４１を３段に分割して、分割された表示領域４１ａ、４１ｂ、および４１ｃに順に、連続する複数の画像を右側から左側に送るように表示させる第２の表示モード（図７参照）とを切り替え可能に構成されている。
【００３４】
次に、図１を参照して、本実施形態による魚群探知機１００の魚群探知動作について説明する。なお、以下の魚群探知動作では、魚群探知機１００は、第１の表示モードで表示を行う。
【００３５】
まず、操作部６０の探知開始ボタン６６が利用者により操作されることによって、魚群探知動作が開始される。
【００３６】
そして、送受信部２０の送信部から送信信号が振動子１０に供給される。これにより、振動子１０が駆動されるので、振動子１０から超音波信号が送信される。その後、振動子１０により探知対象物で反射した超音波信号が受信される。そして、送受信部２０の受信部により受信信号に対して所定の処理が施される。その後、制御部３０により受信信号に対して演算処理や画像処理が施されることによって、受信信号に基づく画像データが生成される。次に、受信信号に基づく画像データがビデオＲＡＭ３４に記憶される。
【００３７】
そして、上記した動作が所定の周期で繰り返し行われることにより、表示部４０には、連続する複数の画像が右側から左側へ送るように表示される。具体的には、ビデオＲＡＭ３４には、受信信号に基づく画像データが順に記憶される。そして、たとえば、図２に示すように、ビデオＲＡＭ３４に最新の画像データとして「画像データＤ６」が記憶された場合には、最新の画像データ（画像データＤ６）を含む所定の数の画像データ（画像データＤ２〜Ｄ６）が表示部４０に出力される。これにより、表示部４０の表示領域４１には、図３に示すように、画像データＤ２〜Ｄ６に基づく画像Ｐ２〜Ｐ６が表示される。その結果、表示領域４１には、探知対象物である海底４２や魚群４３が表示される。なお、第１の表示モードでは、１画面内に５個の画像データに基づく画像が表示される。
【００３８】
ここで、１画面が５個の画像データにより構成されることは、本発明を説明するための便宜上のものであり、実際には、１画面は多数の画像データにより構成されている。したがって、図３では、画像データＤ２〜Ｄ６に基づく画像Ｐ２〜Ｐ６をそれぞれ２次元的な画像として示しているが、実際には、画像データに基づく画像は１次元的な線状の画像データである（後述の図５においても同様）。
【００３９】
その後、図４に示すように、ビデオＲＡＭ３４に最新の画像データとして「画像データＤ７」が記憶された場合には、最新の画像データ（画像データＤ７）を含む所定の数の画像データ（画像データＤ３〜Ｄ７）が表示部４０に出力される。これにより、表示部４０の表示領域４１には、図５に示すように、画像データＤ３〜Ｄ７に基づく画像Ｐ３〜Ｐ７が表示される。したがって、表示領域４１の全体に連続する複数の画像が右側から左側に送るように表示される。なお、図４において、ビデオＲＡＭ３４の右端まで画像データが記憶され、ビデオＲＡＭ３４の記憶領域が一杯になった場合には、ビデオＲＡＭ３４の左端に戻って画像データが上書きされる。
【００４０】
そして、魚群探知動作中に、操作部６０の記録開始ボタン６１が利用者により操作されることによって、受信信号の記録（保存）が開始される。具体的には、制御部３０により生成された受信信号に基づく画像データがビデオＲＡＭ３４に記憶されるとともに、ハードディスク５０に記憶される。
【００４１】
そして、たとえば、図３に示すように、表示部４０の表示領域４１に画像データＤ２〜Ｄ６に基づく画像Ｐ２〜Ｐ６が表示されたときに、操作部６０のマーカーボタン６２が利用者により操作された場合には、中央の画像Ｐ４に対応する「画像データＤ４」に関連付けられたマークがハードディスク５０に記憶される。なお、マークは、本発明の「所定の情報」の一例である。
【００４２】
その後、受信信号の記録が終了された場合には、ハードディスク５０に記憶された一連の画像データが１つのファイルとして記憶される。このとき、ファイルナンバーや日付などの付加情報も記憶される。
【００４３】
次に、図１を参照して、本実施形態による魚群探知機１００のファイルの再生動作について説明する。
【００４４】
まず、操作部６０の再生ボタン６３が利用者により操作されることによって、選択されたファイルの再生が第２の表示モードで開始される。
【００４５】
そして、ハードディスク５０に記憶された画像データが順に制御部３０に出力される。そして、制御部３０に入力された画像データが１／３に圧縮された状態でビデオＲＡＭ３４に記憶される。
【００４６】
具体的には、図６に示すように、ビデオＲＡＭ３４の１段目、２段目、および３段目に、それぞれ、１／３に圧縮された画像データが順に記憶される。なお、画像データＤｓは、画像データＤを縦方向および横方向に１／３に圧縮した画像データである。また、２段目の先頭には、１段目において表示部４０に出力される画像データＤｓ１〜Ｄｓ１５の次の画像データである画像データＤｓ１６が記憶される。また、３段目の先頭には、２段目において表示部４０に出力される画像データＤｓ１６〜Ｄｓ３０の次の画像データである画像データＤｓ３１が記憶される。
【００４７】
そして、ビデオＲＡＭ３４に記憶された画像データＤｓ１〜Ｄｓ４５が表示部４０に出力される。これにより、図７に示すように、表示部４０の表示領域４１の１段目の表示領域４１ａには、画像データＤｓ１〜Ｄｓ１５に基づく画像が表示される。また、表示領域４１の２段目の表示領域４１ｂには、画像データＤｓ１６〜Ｄｓ３０に基づく画像が表示される。また、表示領域４１の３段目の表示領域４１ｃには、画像データＤｓ３１〜Ｄｓ４５に基づく画像が表示される。なお、第２の表示モードでは、１画面内に４５個の画像データに基づく画像が表示される。
【００４８】
すなわち、表示領域４１が３つの表示領域４１ａ、４１ｂ、および４１ｃに分割される。そして、表示領域４１ａに表示された画像と表示領域４１ｂに表示された画像とが連続するとともに、表示領域４１ｂに表示された画像と表示領域４１ｃに表示された画像とが連続するように表示される。
【００４９】
なお、表示領域４１ａの右端には、表示領域４１ｂとの連続性を示す三角形のマーク４４ａが表示されるとともに、表示領域４１ｂの左端には、表示領域４１ａとの連続性を示す三角形のマーク４４ｂが表示される。また、表示領域４１ｂの右端には、表示領域４１ｃとの連続性を示す円形のマーク４５ａが表示されるとともに、表示領域４１ｃの左端には、表示領域４１ｂとの連続性を示す円形のマーク４５ｂが表示される。
【００５０】
４６は表示領域４１の中央に表示される枠形のカーソルを示している。後述するように、表示モードを第２の表示モードから第１の表示モードへ切り替えることにより、カーソル４６で選択された（囲まれた）部分の画像が拡大されて表示領域４１の全体に表示される。なお、本実施形態では、カーソル４６の位置は固定されており、画像が順次送られることにより、カーソル４６の位置に来た画像が選択されるようになっている。
【００５１】
その後、図８に示すように、ビデオＲＡＭ３４に記憶された画像データＤｓ２〜Ｄｓ４６が表示部４０に出力される。具体的には、ビデオＲＡＭ３４の１段目に記憶された画像データＤｓ２〜Ｄｓ１６が出力され、２段目に記憶された画像データＤｓ１７〜Ｄｓ３１が出力され、３段目に記憶された画像データＤｓ３２〜Ｄｓ４６が出力される。これにより、表示領域４１ｃ、４１ｂ、４１ａの順に連続する複数の画像が右側から左側に送るように表示される。なお、画像が送られる速度については、画像データがハードディスク５０から出力されていることから、利用者が所望の速さに設定することが可能である。
【００５２】
そして、ファイルの再生中に、操作部６０の送りボタン６４が利用者により操作されることによって、表示部４０に表示される画像がスキップする。たとえば、図６に示すように、ビデオＲＡＭ３４に記憶された画像データＤｓ１〜Ｄｓ４５が表示部４０に出力されているときに、送りボタン６４が操作された場合には、図９に示すように、ビデオＲＡＭ３４に記憶された画像データＤｓ１６〜Ｄｓ６０が表示部４０に出力される。
【００５３】
具体的には、ビデオＲＡＭ３４の１段目に記憶された画像データＤｓ１６〜Ｄｓ３０が出力され、２段目に記憶された画像データＤｓ３１〜Ｄｓ４５が出力され、３段目に記憶された画像データＤｓ４６〜Ｄｓ６０が出力される。この場合、２段目の表示領域４１ｂに表示されていた画像データＤｓ１６〜Ｄｓ３０に基づく画像が、１段目の表示領域４１ａに表示されるとともに、３段目の表示領域４１ｃに表示されていた画像データＤｓ３１〜Ｄｓ４５に基づく画像が、２段目の表示領域４１ｂに表示される。そして、３段目の表示領域４１ｃには、画像データＤｓ４６〜Ｄｓ６０に基づく画像が表示される。
【００５４】
また、ファイルの再生中に、操作部６０のマーカーボタン６２が利用者により操作されることによって、マークされた画像データに基づく画像が表示されるように、表示部４０に表示される画像がスキップする。たとえば、画像データＤ５０がマークされており、図６に示すように、ビデオＲＡＭ３４に記憶された画像データＤｓ１〜Ｄｓ４５が表示部４０に出力されているときに、マーカーボタン６２が操作された場合には、図１０に示すように、ビデオＲＡＭ３４に記憶された画像データＤｓ２８〜Ｄｓ７２が表示部４０に出力される。
【００５５】
具体的には、ビデオＲＡＭ３４の１段目に記憶された画像データＤｓ２８〜Ｄｓ４２が出力され、２段目に記憶された画像データＤｓ４３〜Ｄｓ５７が出力され、３段目に記憶された画像データＤｓ５８〜Ｄｓ７２が出力される。これにより、画像データＤｓ５０に基づく画像が表示部４０の表示領域４１の中央に表示される。なお、その後、マーカーボタン６２が操作された場合には、画像データＤ５０の次にマークされた画像データに基づく画像が表示されるようにスキップする。
【００５６】
また、ファイルの再生中に、操作部６０の切替ボタン６５が利用者により操作されることによって、制御部３０により第２の表示モードが第１の表示モードに切り替えられる。たとえば、図６に示すように、ビデオＲＡＭ３４に記憶された画像データＤｓ１〜Ｄｓ４５が表示部４０に出力されているとき（図７の状態）に、切替ボタン６５が操作された場合には、図１１に示すように、ハードディスク５０から読み出された画像データＤ２１〜Ｄ２５が、圧縮されずにそのままの状態でビデオＲＡＭ３４に記憶される。そして、ビデオＲＡＭ３４に記憶された画像データＤ２１〜Ｄ２５が表示部４０に出力される。これにより、図７において、カーソル４６で選択されていた画像が、図１２に示すように、拡大されて表示領域４１の全体に表示される。
【００５７】
その後、ハードディスク５０から順に画像データが読み出されるとともに、読み出された画像データが圧縮されることなくそのままの状態でビデオＲＡＭ３４に記憶される。そして、ビデオＲＡＭ３４に記憶された画像データが表示部４０に出力されることにより、表示領域４１の全体に連続する複数の画像が右側から左側に送るように表示される（図５の状態）。
【００５８】
本実施形態では、上記のように、表示領域４１を３つの表示領域４１ａ、４１ｂ、および４１ｃに分割することによって、ハードディスク５０に記憶されたファイル内の画像データの量が多い場合にも、１画面内に画像データに基づく画像を多く表示させることができるので、ファイル内の画像データの中から、利用者が表示部４０に表示させたい画像を容易に探すことができる。
【００５９】
また、本実施形態では、第２の表示モードにおいて、表示させたい画像が表示領域４１に送られてきた場合、その画像がカーソル４６で選択されることにより、第１の表示モードにおいて、その画像が拡大されて表示領域４１に表示されるので、表示させたい画像がカーソル４６で選択された状態で切替ボタン６５を操作し、表示モードを第２の表示モードから第１の表示モードに切り替えることによって、所望する画像を容易かつ確実に表示することができる。
【００６０】
また、本実施形態では、第２の表示モードにおいて、ハードディスク５０に記憶された画像データを読み出した後、画像データを圧縮してビデオＲＡＭ３４に記憶させることによって、第２の表示モードにおいてビデオＲＡＭ３４に記憶される情報量が、第１の表示モードにおいてビデオＲＡＭ３４に記憶される情報量に比べて多くなるのを抑制することができる。これにより、第２の表示モードで用いられる記憶部を別途設ける必要や、ビデオＲＡＭ３４の容量を大きくする必要がない。
【００６１】
また、本実施形態では、マーカーボタン６２および送りボタン６４を設けることによって、表示部４０に表示される画像をスキップさせることができるので、利用者が表示部４０に表示させたい画像をより容易に探すことができる。
【００６２】
本発明は、上述した以外にも種々の実施形態を採用することができる。たとえば、上記実施形態では、本発明を魚群探知機１００に適用する例を示したが、これに限らず、本発明を海底の深度を測定する測深機やレーダ装置に適用してもよい。
【００６３】
また、上記実施形態では、第２の表示モードにおいて、表示領域４１を３段に分割する例を示したが、これに限らず、第２の表示モードにおいて、表示領域４１を２段に分割してもよいし、４段以上に分割してもよい。
【００６４】
また、上記実施形態では、第２の表示モードにおいて、画像データＤを横方向に１／３に圧縮する例を示したが、これに限らず、たとえば、画像データＤを横方向に１／５に圧縮してもよい。このように構成すれば、画像データに基づく画像を１画面内により多く表示させることができる。
【００６５】
また、上記実施形態において、画像データに関連付けられた時間情報を記憶するとともに、その時間情報に基づいて表示部４０に表示される画像をスキップさせてもよい。なお、時間情報は、本発明の「所定の情報」の一例である。また、時間情報を表示部４０に表示させてもよい。
【００６６】
また、上記実施形態では、表示部４０に表示された画像を送る場合について説明したが、表示部４０に表示された画像を戻す場合についても同様である。
【００６７】
また、上記実施形態において、魚群探知中に、第１の表示モードで表示を行う例を示したが、これに限らず、魚群探知中に、第２の表示モードで表示を行うようにしてもよい。
【００６８】
また、上記実施形態では、画像データＤｓ１〜Ｄｓ４５が表示部４０に出力されているときに、送りボタン６４が操作された場合に、画像データＤｓ１６〜Ｄｓ６０が表示部４０に出力される例を示したが、これに限らず、画像データＤｓ１〜Ｄｓ４５が表示部４０に出力されているときに、送りボタン６４が操作された場合に、画像データＤｓ４６〜Ｄｓ９０が表示部４０に出力されるようにしてもよい。具体的には、ビデオＲＡＭ３４の１段目に記憶された画像データＤｓ４６〜Ｄｓ６０が出力され、２段目に記憶された画像データＤｓ６１〜Ｄｓ７５が出力され、３段目に記憶された画像データＤｓ７６〜Ｄｓ９０が出力されるようにしてもよい。
【００６９】
また、上記実施形態においては、第２の表示モードにおいて表示されるカーソル４６の位置を表示領域４１の中央としたが、カーソル４６は表示領域４１の任意の位置に表示させることができる。また、上記実施形態ではカーソル４６の位置を固定としたが、カーソル４６を移動させることが可能なようにしてもよい。
【００７０】
また、上記実施形態において、ファイルの再生中に、第２の表示モードが第１の表示モードに切り替えられた後、第１の表示モードから再度第２の表示モードに切り替えることも可能である。
【００７１】
また、上記実施形態では、選択されたファイルの再生が第２の表示モードで開始される例を示したが、これに限らず、選択されたファイルの再生が第１の表示モードで開始されてもよい。
【００７２】
また、上記実施形態では、第１の表示モードと、第２の表示モードとを切り替え可能に構成する例を示したが、これに限らず、常に第２の表示モードで表示されるようにしてもよい。
【図面の簡単な説明】
【００７３】
【図１】本発明の一実施形態による魚群探知機の全体構成を示したブロック図である。
【図２】図１の魚群探知機のビデオＲＡＭを示した図である。
【図３】図１の魚群探知機の表示部を示した図である。
【図４】図１の魚群探知機のビデオＲＡＭを示した図である。
【図５】図１の魚群探知機の表示部を示した図である。
【図６】図１の魚群探知機のビデオＲＡＭを示した図である。
【図７】図１の魚群探知機の表示部を示した図である。
【図８】図１の魚群探知機のビデオＲＡＭを示した図である。
【図９】図１の魚群探知機のビデオＲＡＭを示した図である。
【図１０】図１の魚群探知機のビデオＲＡＭを示した図である。
【図１１】図１の魚群探知機のビデオＲＡＭを示した図である。
【図１２】図１の魚群探知機の表示部を示した図である。
【符号の説明】
【００７４】
１０    振動子（受信器）
３０    制御部
３４    ビデオＲＡＭ（第２の記憶部）
４０    表示部
４１、４１ａ、４１ｂ、４１ｃ  表示領域
４６    カーソル
５０    ハードディスク（第１の記憶部）
６５    切替ボタン（切替部）
１００  魚群探知機（探知装置）
【図１】
2010139481.tif 000003
【図２】
2010139481.tif 000004
【図３】
2010139481.tif 000005
【図４】
2010139481.tif 000006
【図５】
2010139481.tif 000007
【図６】
2010139481.tif 000008
【図７】
2010139481.tif 000009
【図８】
2010139481.tif 000010
【図９】
2010139481.tif 000011
【図１０】
2010139481.tif 000012
【図１１】
2010139481.tif 000013
【図１２】
2010139481.tif 000014